(57)【要約】      （修正有）【課題】各部品を自由に交換することができ、目のくぼみの様々な形状に対応し、並びにセット剤がまぶたまたは目に接触することを避ける睫毛セット装置を提供する。【解決手段】フレーム３０１は、左右両側の外縁と底側の内縁、それぞれが円弧状に形成され、両側にスライド溝３０５が設けられ、左右両側の底側から離れる頂縁には固定孔３０６が設けられている。曲がり板３０２は、内縁が円弧状に形成され、両端に挿接部３０７が設けられ、フレーム３０１の左右両側の頂縁に固定されている。可動板３０３は、内縁が円弧状に形成され、両端に少なくとも一つの凸塊３０８が設けられ、凸塊３０８によってフレーム３０１でスライド可能である。可動板３０３の曲がり板３０２に近隣する一端には開口部３０９が延伸し、開口部３０９の隣接する横方向開口の間には横方向隔て板３１０が設けられ、横方向隔て板３１０の内縁には複数の溝紋３１１が設けられている。【選択図】図３
0003142927.tif 000002
【実用新案登録請求の範囲】
【請求項１】
凹字形に形成され、左右両側の外縁と底側の内縁はそれぞれ円弧状に形成され、両側にはそれぞれスライド溝が設けられ、左右両側の底側から離れる頂縁にはそれぞれ固定孔が設けられているフレームと、
内縁が円弧状に形成され、両端にはそれぞれ挿接部が設けられ、前記挿接部は前記固定孔に対応し、前記フレームの左右両側の頂縁に固定されている曲がり板と、
内縁が円弧状に形成され、両端にはそれぞれ少なくとも一つの凸塊が設けられ、前記凸塊は前記スライド溝に対応し、前記凸塊によって前記フレームでスライド可能であり、前記曲がり板に近隣する一端には開口部が延伸し、厚さが前記開口部の厚さより厚く、前記開口部には複数の横方向開口が含まれ、隣接する前記横方向開口の間には横方向隔て板が設けられ、前記横方向隔て板の内縁には複数の溝紋が設けられ、前記開口部と連結する位置の近隣には挟みシートが設けられ、前記スライド溝に沿って前記フレームの左右両側の頂縁位置に移動する場合、前記開口部の内側表面は前記曲がり板の外側表面に当接し、前記挟みシートの上縁は前記曲がり板の下縁に当接する可動板と、
を備えることを特徴とする睫毛セット装置。
【請求項２】
更に前記フレームの底側に回転可能に接続する嵌め止め板を備え、
前記可動板が前記フレームの左右両側の頂縁位置に移動される場合、前記嵌め止め板は前記可動板を嵌め止める位置に移動され、前記挟みシートと前記曲がり板は挟み状態で保持されることを特徴とする請求項１記載の睫毛セット装置。
【請求項３】
前記スライド溝にはそれぞれ嵌め止め部が設けられ、
前記可動板が前記フレームの左右両側の頂縁位置に移動される場合、前記嵌め止め部は前記可動板を嵌め止め、前記挟みシートと前記曲がり板は挟み状態で保持されることを特徴とする請求項１記載の睫毛セット装置。
【請求項４】
前記横方向隔て板の前記溝紋は、前記横方向隔て板の内縁に近隣する両面まで延伸していることを特徴とする請求項２または３記載の睫毛セット装置。
【考案の詳細な説明】
【技術分野】
【０００１】
本考案は、睫毛セット装置に関し、睫毛を開口部の内側表面と曲がり板の外側表面との間に挟み固定し、それによってセット剤を睫毛に均一に付着することができ、並びにセット剤が直接まぶた及び眼球に接触することが避けられ、かつ睫毛がセットされると、いずれも睫毛の曲げ上がりの効果が長持ちする睫毛セット装置に関するものである。
【背景技術】
【０００２】
女性は、目つきが明るく、人をひきつけるようにするため、常に睫毛がより濃密で曲げ上がり、かついずれもはっきりと濃密で曲げ上がる睫毛の裏側下部がより明るく表現されることを望んでいる。従来、睫毛は睫毛挟みによって自然に曲げ上げることができ、使用者が睫毛挟みを使って睫毛を挟むと、睫毛は力を受けることによって弾性変形し、曲げ上がりの効果が達成される。ところが、睫毛が回復弾力及び重力の影響を受けると、曲げ上がった睫毛は半日程度で垂れ下がって元の状態に戻る。このため、使用者は、常に睫毛が曲げ上がった状態を保持しているかを注意しなければならず、かつ睫毛挟みを身に着けて携帯し、随時、睫毛の曲げ上げ具合を修正しなければならず、それは極めて不便であるだけでなく、かつ多くの時間を費やさなければならない。
【０００３】
睫毛が長時間曲げ上がっている状態を維持するため、ある業者は、曲げ上げ型睫毛ペースト及び睫毛ブラシを開発している。使用者が睫毛挟みによって睫毛を曲げ上げ、睫毛ブラシをもって睫毛ペーストをつけ、並びに睫毛ペーストを睫毛に塗りつけると、睫毛は濃密で長く見え、かつ長時間曲げ上がった状態を維持することができる。ところが、睫毛ペーストが湿気の影響を受けて軟化し、睫毛が乱雑になって垂れ下がると、使用者は、睫毛をブラシして睫毛ペーストを塗り補い、睫毛の曲げ上げ具合を修正しなければならず、不便である。また、使用者が寝る前、睫毛をメイク落とし棉またはメイク落とし液を使ってきれいに洗浄しない場合、残留した睫毛ペーストは下まぶたを汚して目の周囲が黒くなる現象を導き、極めて醜くなる。それ故に、使用者は額外のお金を費やして、メイク落とし棉またはメイク落とし液を買わなければならず、更に時間を費やして残った睫毛ペーストを除去しなければならないので、それは理想的と言えない。
【０００４】
ところで、従来の睫毛挟み、睫毛ペースト及び睫毛ブラシの多くの欠点を改善するため、特許文献１には構造を改善した睫毛挟みが開示されている。図１及び図２に示すように、睫毛挟み１は一般に美容師の使用に供され、それは、フレーム１０１、曲がり板１０２、可動板１０３及び嵌め止め板１０４を含む。フレーム１０１の両側にはそれぞれスライド溝１０５が設けられ、曲がり板１０２と可動板１０３の内縁は円弧状に形成されている。曲がり板１０２の両端はそれぞれフレーム１０１の頂縁の左右両側に固定され、可動板１０３の両側にはそれぞれ二つの凸塊１０６が設けられている。凸塊１０６はスライド溝１０５に対応し、かつ可動板１０３は凸塊１０６によってフレーム１０１でスライドすることができる。可動板１０３の曲がり板１０２に近隣する一端には開口部１０７が延伸して設けられ、開口部１０７の厚さは可動板１０３の厚さより小さい。開口部１０７には複数の開口が含まれ、かつ隣接する開口の間には隔て板１０８が設けられている。隔て板１０８の内縁には複数の溝紋１０９が設けられ、可動板１０３の開口部１０７と連結する位置の近隣には挟みシート１１０が設けられている。可動板１０３がスライド溝１０５に沿ってフレーム１０１の左右両側の頂縁位置に対応して移動される場合、睫毛は開口部１０７の内側表面と曲がり板１０２の外側表面との間、及び挟みシート１１０の上縁と曲がり板１０２の下縁との間に挟まれる。また、嵌め止め板１０４はフレーム１０１の底側に回転可能に接続し、嵌め止め板１０４は可動板１０３に嵌め当てられ、可動板１０３はフレーム１０１の左右両側に対応する頂縁位置に維持される。このように睫毛挟み１が形成される。
【０００５】
美容師が睫毛挟み１を使って消費者の睫毛を曲げる場合、図１及び図２に示すように、美容師はセット剤を予め開口部１０７の内側表面に塗布し、並びに睫毛を開口部１０７の内側表面と曲がり板１０２の外側表面との間に挟んで固定し、かつ挟みシート１１０の上縁と曲がり板１０２の下縁との間に挟んで固定し、睫毛にセット剤が充分付着するようにする。その後、美容師は嵌め止め板１０４を回し、嵌め止め板１０４を可動板１０３に嵌め当てて、挟みシート１１０と曲がり板１０２を挟み状態に保持し、並びに加熱工具（例えばヘアードライヤー）を使ってセット剤の温度を高め、睫毛を曲げる。このように、睫毛は曲げられて成形され、長期間曲げ上げの状態を維持することができる。それ故に、消費者はお金を費やして睫毛ペースト、睫毛ブラシ及びメイク落とし液を購入する必要がなく、時間を費やして睫毛の曲げ上げ具合を修正する必要もなく、睫毛挟みの使用の便利さを大幅に向上する。ところが、睫毛挟み１は、隔て板１０８の間隔が小さすぎるので、美容師が開口部１０７の外側表面からセット剤を塗布する場合、セット剤は表面張力によって開口部１０７の外側表面に停滞し、美容師はセット剤を開口部１０７の内側表面にしか塗布することができない。従って、美容師が睫毛を曲がり板１０２と開口部１０７との間に送り込む場合、セット剤は目またはまぶたに接触する可能があり、まぶたまたは眼球を過敏にすることがある。また、曲がり板１０２はフレームに固定され、かつ可動板１０３も取り外し及び入れ替えができないので、睫毛挟み１はくぼみの様々な形状に対応することができず、消費者の目のくぼみにスムーズかつ緊密に貼り付けることができず、セットの効果は大幅に減少し、理想的ではない。
【０００６】
【特許文献１】台湾特許Ｍ２５５６７３号明細書
【考案の開示】
【考案が解決しようとする課題】
【０００７】
それ故に、いかにして上述の欠点を改善し、睫毛セット装置を設計製造し、睫毛セット装置の各部品を自由に交換することができ、目のくぼみの様々な形状に対応し、並びにセット剤がまぶたまたは目に接触することを避けることが本考案の重要課題である。
【課題を解決するための手段】
【０００８】
このことに鑑み、従来の睫毛挟み及び睫毛ペースト等の多くの欠点を改善するため、本考案の考案者は、長期間の研究と実験を経た後、遂に本考案の睫毛セット装置を開発し、本考案によって睫毛のセットが簡易かつ安全な仕事となることを望む。
本考案の睫毛セット装置は、フレーム、曲がり板、可動板及び嵌め止め板を含む。フレームは凹字形に形成され、かつフレームの左右両側の外縁と底側の内縁はそれぞれ円弧状に形成される。フレームの左右両側の底側から離れる頂縁にはそれぞれ固定孔が設けられ、かつフレームの両側にはそれぞれスライド溝が設けられている。曲がり板と可動板の内縁はそれぞれ円弧状に形成され、曲がり板の両端にはそれぞれ挿接部が設けられ、挿接部は前記固定孔に対応している。それによって、曲がり板は、フレームの左右両側の頂縁に固定されている。可動板の両側にはそれぞれ少なくとも一つの凸塊が設けられ、凸塊はスライド溝に対応している。可動板は、凸塊によってフレームでスライドできる。また、可動板の曲がり板に近隣する一端には開口部が延伸して設けられ、かつ可動板の開口部と連結する位置の近隣には挟みシートが設けられている。開口部の厚さは可動板の厚さより薄く、開口部には複数の開口が含まれ、かつ隣接する開口の間には隔て板が設けられ、隔て板の内縁には複数の溝紋が設けられている。可動板がスライド溝に沿ってフレームの左右両側の頂縁位置に対応して移動される場合、開口部の内側表面は曲がり板の外側表面に当接し、かつ挟みシートの上縁は曲がり板の下縁に当接する。それによって曲がり板と開口部との間に入れられる睫毛は開口部の内側表面と曲がり板の外側表面との間に挟まれて固定され、かつ挟みシートの上縁と曲がり板の下縁に挟まれて固定される。また、嵌め止め板はフレームの底側に回転可能に接続し、可動板がフレームの左右両側に対応する頂縁位置に移動される場合、嵌め止め板は可動板に嵌め当たる位置に回され、挟みシートと曲がり板は挟み状態に保持される。従って、美容師は適当な曲がり具合の円弧状部を有するフレーム、可動板及び曲がり板を選択して本考案の睫毛セット装置を組み合わせ、消費者の目のくぼみの形に合わせた睫毛セット装置を消費者の目のくぼみに密着し、睫毛の曲げ上げの効果を向上することができる。
【０００９】
本考案の睫毛セット装置では、横方向隔て板の溝紋は横方向隔て板の内縁に近隣する両面まで延伸し、美容師が開口部の外側表面からセット剤を塗布する場合、セット剤は溝紋に流れ込み、並びに横方向開口を通じて横方向隔て板内縁の溝紋まで流れることができ、セット剤と横方向隔て板の表面張力を効果的に除去することができ、セット剤が開口部の外側表面に停滞することを避け、セット剤をスムーズに睫毛に塗りつけることができる。従って、使用者は溝紋によって開口部の外側表面を通じて容易にセット剤を睫毛に塗りつけ、セット剤が直接まぶたまたは眼球に接触することを防止することができる。更に、セット剤がまぶたまたは眼球を過敏にすることを予防する。その他、溝紋により睫毛は確実にくし広げられ、睫毛がセット剤によってセットされると、長い間はっきりとした曲げ上げの効果を維持することができる。
【考案を実施するための最良の形態】
【００１０】
本考案の目的、形状、構造、装置、特徴及び効果を理解するため、本考案の実施形態による睫毛セットを図に基づいて詳細に説明する。
（第一実施形態）
本考案の第一実施形態による睫毛セット装置を図３に示す。睫毛セット装置３は、フレーム３０１、曲がり板３０２、可動板３０３及び嵌め止め板３０４を含む。フレーム３０１は凹字形に形成され、かつフレーム３０１の左右両側の外縁と底側の内縁はそれぞれ円弧状に形成される。フレーム３０１の両側にはそれぞれスライド溝３０５が設けられ、かつフレーム３０１の左右両側の底側から離れる頂縁にはそれぞれ固定孔３０６が設けられている。曲がり板３０２の内縁は円弧状に形成され、それの両端にはそれぞれ挿接部３０７が設けられている。挿接部３０７は固定孔３０６に対応し、曲がり板３０２はフレーム３０１の左右両側の頂縁に固定されている。可動板３０３の内縁は円弧状に形成され、それの両端にはそれぞれ少なくとも一つの凸塊３０８が設けられている。凸塊３０８はスライド溝３０５に対応し、可動板３０３は凸塊３０８によってフレーム３０１でスライドすることができる。可動板３０３の曲がり板３０２に近隣する一端には開口部３０９が延伸して設けられ、開口部３０９の厚さは可動板３０３の厚さより薄く、開口部３０９には複数の開口が含まれる。かつ隣接する開口の間には隔て板３１０が設けられ、隔て板３１０の内縁には複数の溝紋３１１が設けられている。可動板３０３の開口部３０９と連結する位置の近隣には挟みシート３１２が設けられている。可動板３０３がスライド溝３０５に沿ってフレーム３０１の左右両側の頂縁位置に対応して移動された場合、開口部３０９の内側表面は曲がり板３０２の外側表面に当接し、かつ挟みシート３１２の上縁は曲がり板３０２の下縁に当接する。それによって曲がり板３０２と開口部３０９との間に入れられる睫毛は、開口部３０９の内側表面と曲がり板３０２の外側表面との間に挟まれて固定され、かつ挟みシート３１２の上縁と曲がり板３０２の下縁に挟まれて固定される。嵌め止め板３０４はフレーム３０１の底側に回転可能に接続し、可動板３０３がフレーム３０１の左右両側に対応する頂縁位置に移動された場合、嵌め止め板３０４は可動板３０３に嵌め当たる位置に回され、挟みシート３１２と曲がり板３０２は挟み状態に保持される。
【００１１】
本考案の第一実施形態に於いて、美容師が消費者の睫毛をセットする場合、先ず消費者の顔の形状に合わせて適当な曲がり具合の円弧状部を有するフレーム３０１、可動板３０２及び曲がり板３０３を選択し、それらの部材を睫毛セット装置３に組み合わせる。その後、美容師は睫毛セット装置３を消費者の目のくぼみに貼り当て、睫毛を曲がり板３０２と開口部３０９との間に送り込み、かつ可動板３０３をフレーム３０１の左右両側に対応する頂縁位置に移動する。睫毛は開口部３０９の内側表面と曲がり板３０２の外側表面との間に挟まれて固定され、かつ挟みシート３１２の上縁と曲がり板３０２の下縁に挟まれて固定される。その後、美容師は嵌め止め板３０４を回し、嵌め止め板３０４は可動板３０３に当接して可動板３０３の弛みを防止する。睫毛が睫毛セット装置３に固定されたら、美容師は開口部３０９を通じてセット剤を睫毛に塗布し、並びに加熱工具（例えばヘアードライヤー）を使ってセット剤の温度を高め、睫毛を曲げる。睫毛が充分に曲げ上げられたら、美容師は嵌め止め板３０４を回し、嵌め止め板３０４を可動板３０３が嵌め当たる位置から離脱させ、可動板３０３をフレーム３０１の左右両側に対応する頂縁位置から移し、かつ睫毛セット装置３を消費者の目のくぼみから取り外す。従って、睫毛は曲げられて成形され、長期間曲げ上げの状態を維持することができるので、消費者は睫毛挟みを身に着けて携帯し、随時、睫毛の曲げ上げ具合を修正する必要がない。更に、消費者は睫毛ペースト、睫毛ブラシを購入する必要もなく、睫毛ペーストを落とす時間を大幅に節約することができ、かつ残留した睫毛ペーストがまぶたを汚して目の周囲が黒くなることを防止することができる。なお、美容師は消費者の顔の形状に合わせて、適当な曲げ具合の円弧状部を有するフレーム３０１、曲がり板３０２及び可動板３０３を選択し、それらの部品を睫毛セット装置３に組み合わせることができ、その睫毛セット装置３を消費者の目のくぼみに密着させて、従来の睫毛セット装置が目のくぼみに密着させることができない問題を効果的に改善し、睫毛の曲げ上げの効果を大幅に向上することができる。
【００１２】
（第二実施形態）
本考案の第二実施形態による睫毛セット装置の一部を図４に示す。
図４に示すように、本考案の第二実施形態による睫毛セット装置の横方向隔て板３１０には、溝紋３１１が形成されている。溝紋３１１は、横方向隔て板３１０の内縁に近隣する両面まで延伸している。図３に示すように、横方向隔て板３１０の内縁及び内縁の近隣両面にはともに溝紋３１１が含まれるので、美容師が開口部３０９の外側表面からセット剤を塗りつける場合、セット剤は溝紋３１１を経て横方向隔て板３１０の内縁に流れ込み、並びに均一に睫毛に塗りつけられ、セット剤が表面張力によって開口部３０９の外側表面に停滞することが避けられる。従って、美容師は溝紋３１１によって開口部３０９の外側表面を通じてセット剤を睫毛に塗りつけ、セット剤が直接まぶたまたは眼球に接触することを効果的に防止することができ、更にセット剤がまぶたまたは眼球を過敏にすることを予防する。その他、溝紋３１１により睫毛は確実にくし広げられ、睫毛はセット剤によってセットされると、長い間はっきりとした曲げ上げの状態を維持することができる。
【００１３】
（第三実施形態）
本考案の第三実施形態による睫毛セット装置を図５に示す。第三実施形態による睫毛セット装置は、各スライド溝に嵌め止め部が設けられ、フレーム５０１の各スライド溝５０５には嵌め止め部５０６が設けられている。可動板５０３がフレーム５０１の左右両側に対応する頂縁位置に移動された場合、嵌め止め部５０６は可動板５０３に嵌め当てられ、挟みシート５０４と曲がり板５０２は挟み状態に保持され、並びに可動板５０３の弛みを防止し、美容師は開口部５０７を通じてセット剤をスムーズに睫毛に塗りつけることができる。
以上に述べたのは本考案の複数の具体的な実施形態であり、本考案の構造的な特徴はそれに限定されず、およそこの技術を熟知するものが本考案の領域に於いて、容易に思い付く変更または改良はすべて本考案の登録請求の範囲に含まれるものとする。
【図面の簡単な説明】
【００１４】
【図１】従来の睫毛挟みを示す斜視図である。
【図２】従来の睫毛挟みを示す斜視図である。
【図３】本考案の第一実施形態による睫毛セット装置の分解斜視図である。
【図４】本考案の第二実施形態による睫毛セット装置の横方向隔て板を示す図である。
【図５】本考案の第三実施形態による睫毛セット装置を示す分解斜視図である。
【符号の説明】
【００１５】
３：睫毛セット装置、３０１、５０１：フレーム、３０２、５０２：曲がり板、３０３、５０３：可動板、３０４：嵌め止め板、３０５、５０５：スライド溝、３０６：固定孔、３０７：挿接部、３０８：凸塊、３０９、５０７：開口部、３１０：横方向隔て板、３１１：溝紋、３１２、５０４：挟みシート、５０６：嵌め止め部
【図１】
0003142927.tif 000003
【図２】
0003142927.tif 000004
【図３】
0003142927.tif 000005
【図４】
0003142927.tif 000006
【図５】
0003142927.tif 000007